(57)【要約】【課題】着用者の動作についての解析を行うとともに、この動作による伸縮を縫い目ラインの位置に反映させ、着用時の違和感を低減する上衣の製造方法を提供する。【解決手段】予め上衣の複数の計測部位に、該上衣の伸縮とともに変形する計測円を付設し、かつ前記計測円と中心を共通とし上衣の伸縮によって変形しないシート状物に形成された基準円を付着して、上衣の伸縮とともに変化する上衣の引張方向及び引張量を前記計測円及び基準円によってカメラの撮像により計測し、前記上衣の引張方向及び引張量に基づいて上衣の所定部分に伸び容易部分を形成する。【選択図】図１
2006022452.tif 000002
【特許請求の範囲】
【請求項１】
予め上衣の複数の計測部位に、該上衣の伸縮とともに変形する計測円を付設し、かつ前記計測円と中心を共通とし上衣の伸縮によって変形しない基準円を付着して、上衣の伸縮とともに変化する上衣の引張方向及び引張量を前記計測円及び基準円によって計測し、前記上衣の引張方向及び引張量に基づいて上衣の所定部分に伸び容易部分を形成することを特徴とする上衣の製造方法。
【請求項２】
前記計測円が前記上衣表面に直接表示され、前記基準円がシート状物に形成されて前記上衣に添着される請求項１に記載の上衣の製造方法。
【請求項３】
前記上衣の伸縮とともに変化する前記計測円及び基準円がカメラによって撮像されて計測される請求項１又は２に記載の上衣の製造方法。
【請求項４】
前記上衣の所定部分に形成される伸び容易部分が、該上衣の引張方向に対して略４５度方向に形成された縫い目ラインである請求項１ないし３のいずれか１項に記載の上衣の製造方法。
【発明の詳細な説明】
【技術分野】
【０００１】
本発明は、上衣の製造方法に関し、特に着用して体を動かした際の窮屈感を低減する上衣の製造方法に関する。
【背景技術】
【０００２】
従前の上衣、とりわけ背広服の上衣によると、ほぼ定形のカットラインにより裁断した服地を縫製して仕立てていた。このカットラインは伝統的に定番とされるものであった。従前においては予め規定された部位の採寸を行い、適宜のゆとりを含めながら着用者の体格に合わせて上衣を仕立てていた。このような場合、含めるゆとりの量を予測するためには熟練者の経験を要し、また上衣の布地の伸び特性も考慮して縫製においても「いせ込み」と称される技法等が必要とされる。そのため、上衣の仕立てに際しては熟練者の技能に依存することが多い。
【０００３】
たしかに、従前の上衣にみられる縫い目ラインにおいて、適宜のゆとりを含めることによって良好な着心地を維持してきた。この結果、かなりの割合で、着用時の窮屈感は改善されているものの、熟練技能者毎にゆとり量が微妙にばらつくことも多かった。また、採寸を正確に行う必要から完全仕立てとなり非常に高価となる。したがって、従来、既製服の上衣に同様の手法を適用することは困難であった。
【０００４】
そこで、簡便な採寸としながらも熟練者に匹敵する採寸を実現するために、各種の採寸方法、サイズ測定具が検討されている。例えば、伸縮自在な採寸用衣類の各部位に、一端を基準零点として固定し、他端を採寸点として移動自由に装着した採寸用メジャーを用い、前記採寸用メジャーに表された採寸値を読み取ることにより、着用時の実寸を採寸可能にする方法が報告されている（特許文献１参照）。また、上衣の肩幅、裄丈、着丈、胸囲、胴囲のそれぞれにスケールを装着し、これらの各スケールを移動自由に一体化したサイズ測定具も報告されている（特許文献２参照）。
【０００５】
既に述べたように、従来行われてきた採寸とは、着用者の静止状態における予め規定された部位の採寸である。しかるに、人体の構造、日常生活、種々の作業等のいずれを鑑みても両腕、肩を多用していることは自明である。加えて、上衣の着用者の職種によっては、当然ながら腕、肩等の動作が異なる。例えば乗り物等を運転、操縦する運転手（オペレータ等）の場合には、ハンドル操作にみられるように比較的両腕を前に出す動作が多い。そのため、上衣を着用すると、着用者は、上衣の服地、縫製箇所、特には肘、肩（腕と胴の縫い目）付近で引っ張られる感触を抱く。
【０００６】
以上から、着用者の動作についての解析を行うと同時に動作時の違和感を低減する縫い目ラインを有した上衣の製造には至ってはいなかった。
【特許文献１】特開２００２−８８５５２公報
【特許文献２】特開２００３−４１４１９公報
【発明の開示】
【発明が解決しようとする課題】
【０００７】
本発明は前記の点に鑑みなされたものであり、着用者の動作についての解析を行うとともに、この動作による伸縮を縫い目ラインの位置に反映させ、着用時の違和感を低減する上衣の製造方法を提供する。
【課題を解決するための手段】
【０００８】
すなわち、請求項１の発明は、予め上衣の複数の計測部位に、該上衣の伸縮とともに変形する計測円を付設し、かつ前記計測円と中心を共通とし上衣の伸縮によって変形しない基準円を付着して、上衣の伸縮とともに変化する上衣の引張方向及び引張量を前記計測円及び基準円によって計測し、前記上衣の引張方向及び引張量に基づいて上衣の所定部分に伸び容易部分を形成することを特徴とする上衣の製造方法に係る。
【０００９】
請求項２の発明は、前記計測円が前記上衣表面に直接表示され、前記基準円がシート状物に形成されて前記上衣に添着される請求項１に記載の上衣の製造方法に係る。
【００１０】
請求項３の発明は、前記上衣の伸縮とともに変化する前記計測円及び基準円がカメラによって撮像されて計測される請求項１又は２に記載の上衣の製造方法に係る。
【００１１】
請求項４の発明は、前記上衣の所定部分に形成される伸び容易部分が、該上衣の引張方向に対して略４５度方向に形成された縫い目ラインである請求項１ないし３のいずれか１項に記載の上衣の製造方法に係る。
【発明の効果】
【００１２】
請求項１の発明に係る上衣の製造方法によると、予め上衣の複数の計測部位に、該上衣の伸縮とともに変形する計測円を付設し、かつ前記計測円と中心を共通とし上衣の伸縮によって変形しない基準円を付着して、上衣の伸縮とともに変化する上衣の引張方向及び引張量を前記計測円及び基準円によって計測し、前記上衣の引張方向及び引張量に基づいて上衣の所定部分に伸び容易部分を形成するため、着用者の動作についての解析が可能となるとともに、着用者の動作をよりいっそう反映させ、動作時の違和感を低減する上衣の製造が実現できる。
【００１３】
請求項２の発明に係る上衣の製造方法によると、請求項１の発明において、前記計測円が前記上衣表面に直接表示され、前記基準円がシート状物に形成されて前記上衣に添着されるため、着用者の動作についての解析を簡便に行うことができる。
【００１４】
請求項３の発明に係る上衣の製造方法によると、請求項１又は２の発明において、前記上衣の伸縮とともに変化する前記計測円及び基準円がカメラによって撮像されて計測されるため、計測に際して着用者に過度の負担を強要することがなくなり、計測を迅速に行うことができる。
【００１５】
請求項４の発明に係る上衣の製造方法によると、請求項１ないし３のいずれか１項の発明において、前記上衣の所定部分に形成される伸び容易部分が、該上衣の引張方向に対して略４５度方向に形成された縫い目ラインであるため、上衣の服地模様の見栄えを考慮しつつ着用者の動作に順応した伸び容易部分を形成にすることができる。したがって、上衣を着用した動作時の窮屈感の低減が可能となる。
【発明を実施するための最良の形態】
【００１６】
以下添付の図面に従って本発明を説明する。図１は計測円を付設した上衣の正面図、図２は計測円を付設した上衣の背面図、図３は計測円及び基準円の正面図、図４は図３の引張状態を示す模式図、図５は服地の模式図、図６は図５の引張状態を示す模式図、図７は縫い目における服地の模式図、図８は図７の引張状態を示す模式図、図９は各計測部位の代表的な引張方向を示す正面模式図、図１０は図９の背面模式図、図１１は縫い目ラインの第一提案モデルに関する上衣の正面図、図１２は図１１の背面図、図１３は縫い目ラインの第二提案モデルに関する上衣の正面図、図１４は図１３の背面図、図１５は縫い目ラインの第三提案モデルに関する上衣の正面図、図１６は図１５の背面図である。
【００１７】
図１及び図２に示す上衣１０は、紳士用背広服の上衣（３つのボタン、１本のベント）を例示する計測用の上衣である。請求項１の発明に規定するように、予め上衣１０の複数の計測部位（Ｐ１〜Ｐ２１）に、該上衣１０の伸縮とともに変形する計測円（Ｍ１〜Ｍ２１）が付設される。さらに、計測円（Ｍ１〜Ｍ２１）と円の中心を共通とし、上衣の伸縮によっては変形しない基準円（Ｂ１〜Ｂ２１）も付着される。
【００１８】
次に、当該上衣１０を着用者に着用してもらい、上体をひねる、もしくは腕部を前に突き出す、腕を上に上げる等の適宜の動作を行う。このような動作に伴い上衣の伸縮とともに変化する上衣１０の引張方向及び引張量について、前記の計測円（Ｍ１〜Ｍ２１）及び基準円（Ｂ１〜Ｂ２１）を用いて計測を行う。そこで、この上衣１０の引張方向及び引張量に基づき、上衣の所定部分において、引張度合いが比較的大きい部分が推定され、当該部分に伸び容易部分が形成される。上衣１０の着用に当たり、複数人に着用してもらい、各人毎の引張方向及び引張量の差異も体型及び体格と共に計測することが望ましい。
【００１９】
図中、符号１５は右腕部、１６は左腕部、１７は胸ポケット、１８は右ポケット、１９左ポケット、２１は襟、２２はベント、３１は正面ボタン、３２は袖ボタン、４１は正面縫合部、４２は右腕体縫合部、４３は肩部縫合部、４４は右側部縫合部、４５は背面縫合部、４６は左側部縫合部、４７は右腕縫合部、４８は左腕縫合部、４９は左腕体縫合部である。列記の縫合部は縫い目ラインに相当する。
【００２０】
上衣における計測部位（計測円）は、上衣の種類により付設される場所は好適に設定される。実施例の紳士用背広服の上衣（３つのボタン、１本のベント）にあっては、図１及び図２に示す２１箇所の計測部位に計測円が重ねられて付設されている。上衣正面における計測部位は、右腕縫合部Ｐ１，Ｐ２，Ｐ３、左腕縫合部Ｐ４，Ｐ５，Ｐ６、ボタン位置Ｐ７，Ｐ８，Ｐ９、ポケット位置Ｐ１０，Ｐ１１である。上衣背面における計測箇所として、襟首Ｐ１２、右腕縫合部Ｐ１３，Ｐ１４、左腕縫合部Ｐ１５，Ｐ１６、背部Ｐ１７、右腰部Ｐ１８、左腰部Ｐ１９、ベント始点Ｐ２０、ベント終点Ｐ２１である。前記の各計測部位の位置は、一般的に上衣着用の際に着用者にとって窮屈感の感度が高い、すなわち、後述するように計測円の変形量が大である部位を抽出した箇所である。
【００２１】
むろん、計測部位（計測円）の位置は図示する実施例に拘泥されるものではなく、上衣のデザインに応じて適宜に設定され付設される。例えば、ボタンの数（１，２，３，４，５個等）、襟の形状（スタンドカラー等）、ベントの有無及び本数（１本、２本）、紳士用もしくは婦人用、シングルもしくはダブルの相違等、種々の要件を加味した上で設定される。併せて、着用時の動作が大きくなる箇所ほど、動作への適合性を考慮して細かく計測部位（計測円）が付設され、他の箇所の計測部位が省略されることもあり得る。
【００２２】
計測円（Ｍ１〜Ｍ２１）は、請求項２の発明に規定するように、前記上衣１０の表面、すなわち計測部位（Ｐ１〜Ｐ２１）に直接表示されている。実施例においては、直接上衣に鉛筆等を用いて描いた円である。次に、計測円（Ｍ１〜Ｍ２１）よりも直径を小とし、シート状物より形成される基準円（Ｂ１〜Ｂ２１）が、計測円とその中心を共通として当該計測円に付着される。この基準円は、厚紙、樹脂等のシート状物（円盤体）であり、容易に伸縮しないことが求められる。当然、材質はこれらに限られることはなく、軽量で着用者の計測動作を妨げない限りにおいて適宜である。
【００２３】
上記の引張方向及び引張量の算出は、請求項３の発明に規定するように、上衣の伸縮とともに変化する計測円及び基準円がカメラによって撮像され、その画像が計測されることにより行われる。このようにカメラを用いることにより、複数ある計測部位の引張状況を手際よく処理できるため、計測に際して着用者に過度の負担を強要することがなくなる。また、測定部位とカメラとの距離が計測部位毎にずれたとしても、最終的に基準円を用いて換算することが可能である。
【００２４】
実施例の計測円の半径は３ｃｍ、基準円の半径は１．５ｃｍである。図３に示す通り、計測円Ｍにおいては、引張方向を把握可能とするため、１５度ずつ補助線（Ｌ０〜Ｌ１１）が付される。図４は補助線Ｌ３方向に引張されている状態を示す。この結果、当初円であった計測円Ｍに歪みが生じ、略楕円形状に変形する。さらに、変形した計測円Ｍと、該計測円Ｍ上に付着された基準円Ｂとを対比させて、引張方向及び引張量が算出される。計測円の変形においては、変形量が最大である方向、すなわち最も伸びている方向を当該計測円における引張方向とし、その変形量を引張量としている。なお、計測円及び基準円の半径は、使用するカメラ（レンズの性能）、服地の特性（伸び具合）、着用者の動作等が勘案され規定される。符号Ｏは計測円Ｍ及び基準円Ｂの中心である。実施例においては、計測円Ｍの中心Ｏに基準円Ｂの中心を重ね合わせて中心Ｏの一点で縫いつけられている。
【００２５】
次に、服地と伸びについて言及する。図５の服地の模式図に示す通り、一般的な上衣の服地８０は縦糸８１と横糸８２が直交して織り合わされている。そのため、図６のように、服地８０の縦糸８１と横糸８２による織り目に対して略４５度方向（Ｄ１方向）には比較的伸びやすい。すなわち、織り目の成す格子が略菱形に変形するためである。
【００２６】
また、服地同士の縫い目によっても伸びを吸収することができる。図７は服地８０同士を縫い目ライン９０により縫い合わされた様子を示す。図示のとおり、服地においては縫い目ライン方向（Ｄ２方向）には比較的伸びやすい。一方、縫い目ラインと直交する方向（Ｄ３方向）には延びにくい。そこで、前記の伸び容易部分を縫い目ラインとすれば好適と想定される。しかしながら、図７のように服地の縫い目ライン方向（Ｄ２方向）に引張されると、例えば図５及び図６において説明したように服地自体の模様の変形・ひずみが大きくなり、上衣の着用時の見栄えが悪くなりがちである。
【００２７】
そのため、縫い目ラインにおける伸び（引張度合い）と服地自体の模様の変形・ひずみ（服地模様の見栄え）が勘案され、前記両者の均衡を踏まえた結果、請求項４の発明に規定し、図８に示すように、上衣の所定部分に形成される伸び容易部分は、当該上衣の引張方向Ｄ４に対して略４５度方向に形成された縫い目ライン９５とすることが最善とされる。このため前記縫い目ライン９５は伸び容易部分として、例えば、前出の図１及び図２に示した正面縫合部４１、右側部縫合部４４、背面縫合部４５、左側部縫合部４６、右腕縫合部４７、左腕縫合部４８等の比較的伸縮が要求される縫合部に形成されている。
【００２８】
前述の計測の結果、上衣１０の複数の計測部位（Ｐ１〜Ｐ２１）における代表的な引張方向を図９及び図１０に両端矢印として付記する。図示から自明な通り、とりわけ両腕の縫合箇所の計測部位に複雑な引張方向が見受けられる。ただし、図示の引張方向は動作や着用者の体格、体型等により差異が生じるため、代表的な引張方向を抽出した。ちなみに、計測に際して実施した動作は、片腕を頭上に上げる動作、片腕を前に突き出す動作、片腕を該腕と同方向の真横に突き出す動作、片腕を該腕と反対方向に曲げる動作、片腕を曲げて腰に当てる動作の５通りである。なお、図１及び図２と共通箇所には同一符号を付した。
【００２９】
以上に述べた本発明の上衣の製造方法について、計測部位及びその計測方法、さらに服地の伸びとの関係をまとめると、上衣を着用した際、着用者の動作に伴って窮屈感が生じる箇所について、定量的な把握が可能となる。この結果、従前、経験則により行われていた上衣の縫い目ラインの位置に関し、着用者の動作に基づいて解析を行い、これに順応させて形成した縫い目ラインを有する上衣が構築できる。以下の実施例においては、３種類の提案モデルを示す。
【００３０】
図１１及び図１２は、縫い目ラインの第一提案モデルに関する上衣を示す。図示の上衣１０Ａは、着用者が左右いずれか（両方）の腕において肘を軽く曲げて、前に突き出す動作を抽出し、当該動作に基づき形成した縫い目ラインを有する。例えば、運転手がハンドルを操作する動作に由来する。特徴的な縫い目ラインは、右肩腕共通縫合部５１、左肩腕共通縫合部５２である。
【００３１】
前記共通縫合部（縫い目ライン）５１，５２を備えることにより、伸び容易部分として、肘を曲げて腕を突き出したときに肩に生じる引っ張り感の低減が可能となる。
【００３２】
図１３及び図１４は、縫い目ラインの第二提案モデルに関する上衣を示す。図示の上衣１０Ｂは、着用者が両腕を正面方向に突き出す動作を抽出し、当該動作に基づき形成した縫い目ラインを有する。例えば、椅子に着席した着用者が正面のテーブル上に両腕を乗せる動作（いわゆるデスクワーク）に由来する。特徴的な縫い目ラインは、正面縫合部をそれぞれ肩まで延長した右腹胸部縫合部５３、左腹胸部縫合部５４、右背腕部縫合部５５、左背腕部縫合部５６である。
【００３３】
上衣の正面に右腹胸部縫合部５３、左腹胸部縫合部５４を備えるため、腕を振り動かす際の伸縮が吸収される。併せて、背面に右背腕部縫合部５５、左背腕部縫合部５６を備えるため、伸び容易部分としてとりわけ、デスクワーク時の肩に生じる引っ張り感の低減が可能となる。
【００３４】
図１５及び図１６は、縫い目ラインの第三提案モデルに関する上衣を示す。図示の上衣１０Ｃは、着用者が左右いずれかの腕のみ頭上に持ち上げ、同時にこの持ち上げた腕の肘も曲げる動作を抽出し、当該動作に基づき形成した縫い目ラインを有する。例えば、片腕で吊革を握持する動作に由来する。特徴的な縫い目ラインは、右鎖骨部縫合部５７、左鎖骨部縫合部５８、右背肩部縫合部６１、左背肩部縫合部６２である。
【００３５】
従前の肩部縫合部の代わりに右鎖骨部縫合部５７、左鎖骨部縫合部５８、右背肩部縫合部６１、左背肩部縫合部６２を設けることにより、伸び容易部分として、肘を曲げたときに肩、背に生じる引っ張り感の低減が可能となる。
【００３６】
図示し説明した通り、本発明の上衣の製造方法によると、着用者に固有の動作を加味した上衣の製造が可能となる。このため、着用者の職種に応じて上衣を使い分けることもできる。また、従前の完全仕立てによる上衣の代わりに、上衣の着用者の動作類系毎に最適な上衣を選択できるため、各モデル毎の上衣を既製服として提供することができる。
【００３７】
図１１ないし図１６において、図１及び図２と共通箇所には同一符号を付し、その説明を省略する。また、各提案モデルは図示のデザインの上衣に限られることはなく、適宜のデザインの上衣に応用され伸び容易部分（縫い目ライン）が形成される。
【００３８】
なお、本発明は、図示し説明した実施例に限定されるものではなく、発明の趣旨を逸脱しない限りにおいて構成の一部を適宜変更することができる。例えば、実施例に例示した各縫い目ラインの提案モデル以外にも動作の解析結果を鑑み、新たな縫い目ラインを構築可能であることは言うまでもない。加えて、計測円の付設位置、縫い目ラインの位置は左右対称であるが必ずしもこれに限られることはなく、必要に応じて改変可能である。
【図面の簡単な説明】
【００３９】
【図１】計測円を付設した上衣の正面図である。
【図２】計測円を付設した上衣の背面図である。
【図３】計測円及び基準円の正面図である。
【図４】図３の引張状態を示す模式図である。
【図５】服地の模式図である。
【図６】図５の引張状態を示す模式図である。
【図７】縫い目における服地の模式図である。
【図８】図７の引張状態を示す模式図である。
【図９】各計測部位における代表的な引張方向を示す正面模式図である。
【図１０】図９の背面模式図である。
【図１１】縫い目ラインの第一提案モデルに関する上衣の正面図である。
【図１２】図１１の背面図である。
【図１３】縫い目ラインの第二提案モデルに関する上衣の正面図である。
【図１４】図１３の背面図である。
【図１５】縫い目ラインの第三提案モデルに関する上衣の正面図である。
【図１６】図１５の背面図である。
【符号の説明】
【００４０】
１０  上衣
１５  右腕部
１６  左腕部
２１  襟
Ｐ１〜Ｐ２１  計測部位
Ｍ１〜Ｍ２１  計測円
Ｂ１〜Ｂ２１  基準円
４１  正面縫合部
４２  右腕体縫合部
４３  肩部縫合部
４４  右側部縫合部
４５  背面縫合部
４６  左側部縫合部
４７  右腕縫合部
４８  左腕縫合部
４９  左腕体縫合部
５１  右肩腕共通縫合部
５２  左肩腕共通縫合部
５３  右腹胸部縫合部
５４  左腹胸部縫合部
５５  右背腕部縫合部
５６  左背腕部縫合部
５７  右鎖骨部縫合部
５８  左鎖骨部縫合部
６１  右背肩部縫合部
６２  左背肩部縫合部
【図１】
2006022452.tif 000003
【図２】
2006022452.tif 000004
【図３】
2006022452.tif 000005
【図４】
2006022452.tif 000006
【図５】
2006022452.tif 000007
【図６】
2006022452.tif 000008
【図７】
2006022452.tif 000009
【図８】
2006022452.tif 000010
【図９】
2006022452.tif 000011
【図１０】
2006022452.tif 000012
【図１１】
2006022452.tif 000013
【図１２】
2006022452.tif 000014
【図１３】
2006022452.tif 000015
【図１４】
2006022452.tif 000016
【図１５】
2006022452.tif 000017
【図１６】
2006022452.tif 000018